(57)【要約】      （修正有）【課題】商業施設計画の企画立案や事前影響予測等のための来訪者の回遊行動分析において、データのコーディング作業負荷を減らし、コーディング作業時のエラーを無くするとともに、来訪者の回遊行動に関する情報を得る。【解決手段】回遊行動分析用のデータ収集するための装置において、表示装置に表示された回遊行動図上にデータ入力用の出入口ノードのボタン、経路リンクのボタン及び立寄り施設のボタンを設けるとともに、回遊行動分析用のコードシステムを用いることにより、誤入力を防止し且つ来訪者の歩行距離を概算する。【選択図】図１
2013206219.tif 000002
【特許請求の範囲】
【請求項１】
回遊行動分析用のデータを収集するための装置であって、出入口ノード、経路リンク及び立寄り施設を回遊行動情報の入力項目として備える入力手段と、少なくとも出入口ノード、経路リンク、立寄り施設の各コードを記録するための記憶手段と、入力された回遊行動情報が出入口ノード、経路リンク、立寄り施設における回遊行動として正しいか否かを判定し、入力された回遊行動情報が正しい場合に、入力された回遊行動情報をコーディングして前記記憶手段に記録するコーディング処理手段と、を備えることを特徴とする回遊行動分析用データコーディング装置。
【請求項２】
前記入力された回遊行動情報が誤っている場合には、エラーメッセージを表示する出力手段を備えることを特徴とする請求項１に記載の回遊行動分析用データコーディング装置。
【請求項３】
表示装置の画面に表示される回遊行動図上に出入口ノードのボタン、経路リンクのボタン及び立寄り施設のボタンが設けられた構成となっており、前記入力手段は、前記出入口ノードのボタン、経路リンクのボタン及び立寄り施設のボタンが回遊行動の順に押されることによって、前記回遊行動情報を入力することを特徴とする請求項１または２に記載の回遊行動分析用データコーディング装置。
【請求項４】
前記コーディング処理手段は、入力された回遊行動情報に基づいて経路リンクの経路の長さを加算する歩行距離の概算を行うか否かを定めた歩行距離概算ルールに従って、入力された回遊行動情報から回遊行動の歩行距離を算出することを特徴とする請求項１ないし３のいずれか１つに記載の回遊行動分析用データコーディング装置。
【発明の詳細な説明】
【技術分野】
【０００１】
本発明は、スマートシティを含む、都市計画技術分野における商業施設計画、中心市街地活性化、地区再開発事業にかかわる商業地回遊行動分析用のデータコーディング装置に関するものである。
【背景技術】
【０００２】
特許文献１によると、行動分析用のデータ源はビデオカメラの画像であり、データの用途は駅、スーパーマーケットなどの施設内の防犯や来訪者の立ち止りの監視である。当該文献においては、データ源と用途の性質上、来訪者の歩行距離の測定は数メートルから五十メートル程度に限られる。しかし、通常、商業地を回遊する多くの来訪者の歩行距離は数百メートルから数キロ以上であり、立寄り施設は１ヶ所から十数ヶ所であり、単一のビデオカメラで来訪者の回遊行動の全工程を捕捉することは不可能である。当該文献以外にも複数のビデオ映像のトラッキング技術についての研究報告事例はあるが、街路上におけるプライバシー保護の問題は解決できていない。
【０００３】
一方、街路上における電気通信技術を用いた位置特定システムの進歩には著しいものがある。しかし、多くの場合、複数の電波が到達せず位置測定が不可能な領域が存在するため、街路上に多数の仮設局を設ける必要がある。特許文献２によると、想定されているデータ源は携帯端末と位置特定システムから得られる電気通信信号であり、データの用途は人ナビゲーションシステムに用いるルートデータベース作成の効率化であり、回遊行動分析における基本統計量である歩行距離についても、立寄り施設のデータ採取及び立寄りの意図の有無のデータ採取についても言及されていない。
【０００４】
上の技術的状況が故に、商業地回遊行動の分析、とくに歩行経路及び立寄り施設の分析のためには、来訪者に対するヒアリング調査や質問紙調査が未だに有用であり、当該調査で得られた回遊行動図から歩行経路及び立寄り施設をコーディングして回遊行動分析用データベースが作成されている。従って、当該データベースを効率的に作成でき、併せて歩行距離の計測ができる装置が有用であるが、これまでこのような機能を有する回遊行動分析用のコーディング装置に関する公表例はなかった。
【先行技術文献】
【特許文献】
【０００５】
【特許文献１】特開２００９−１４０３６０公報
【特許文献２】特開２００４−０２８６５１公報
【発明の概要】
【発明が解決しようとする課題】
【０００６】
従来技術では、ヒアリング調査または質問紙調査で得られた回遊行動図から歩行経路や立寄り施設を読み取り、交差点ノード及び経路リンク識別番号が書かれた回遊行動図を参照しながら歩行経路及び立寄り施設のコーディングを人力で行っているため、次のような課題があった。
【０００７】
Ａ．  コーディングに時間を要するとともに、コーディングエラーが多く発生する。その結果、信頼性の低い回遊行動分析用データベースしか作成できない。回遊行動の途中に施設立寄りが多い場合には、コーディングに要する時間がより長くなるとともに、コーディングエラーが更に多く発生する。
【０００８】
Ｂ．  歩行距離の計測のための計算作業を別途行なわなければならない。
【０００９】
本発明は上記課題に鑑みて、コーディングを人力で行う方法に比べ、コーディングに要する時間が短く、コーディングエラーがない、回遊行動分析用データコーディング装置を提供することを第１の目的とする。さらに、コーディングと並行して、来訪者の歩行距離を概算することができる回遊行動分析用データコーディング装置を提供することを第２の目的とする。
【課題を解決するための手段】
【００１０】
上記課題を解決するため、本発明の回遊行動分析用データコーディング装置は、出入口ノード、経路リンク及び立寄り施設を回遊行動情報の入力項目として備える入力手段と、少なくとも出入口ノード、経路リンク、立寄り施設の各コードを記録するための記憶手段と、入力された回遊行動情報が出入口ノード、経路リンク、立寄り施設における回遊行動として正しいか否かを判定し、入力された回遊行動情報が正しい場合に、入力された回遊行動情報をコーディングして前記記憶手段に記録するコーディング処理手段と、を備えることを第１の特徴とする。
【００１１】
これにより、コーディングを人力で行う方法に比べ、コーディングに要する時間を短くすることができるとともに、コーディングエラーがないようにすることができる。
【００１２】
また、本発明は、前記入力された回遊行動情報が誤っている場合に、エラーメッセージを表示する出力手段を備えることを第２の特徴とする。
【００１３】
また、本発明は、表示装置の画面に表示される回遊行動図上に出入口ノードのボタン、経路リンクのボタン及び立寄り施設のボタンが設けられた構成となっており、前記入力手段は、前記出入口ノードのボタン、経路リンクのボタン及び立寄り施設のボタンが回遊行動の順に押されることによって、前記回遊行動情報を入力することを第３の特徴とする。
【００１４】
また、本発明は、前記コーディング処理手段は、入力された回遊行動情報に基づいて経路リンクの経路の長さを加算する歩行距離の概算を行うか否かを定めた歩行距離概算ルールに従って、入力された回遊行動情報から回遊行動の歩行距離を算出することを第４の特徴とする。
【００１５】
これにより、コーディングと並行して、来訪者の歩行距離を概算することができる。
【図面の簡単な説明】
【００１６】
【図１】本発明の第１実施形態に係る回遊行動分析用データコーディング装置の全体構成を示す図である。
【図２】コーディングのプロセスを説明するためのノード・リンク間の関係の例を示す図である。
【図３】図２における経路リンクデータベースの例である。
【図４】図２における隣接関係データベースの例である。
【図５】図２における立寄り施設データベースの例を示す図である。
【図６】施設立寄りに係わるコーディングと歩行距離概算の例を示す図である。
【図７】施設立寄りに係わるコーディングと歩行距離概算の例を示す図である。
【図８】施設立寄りに係わるコーディングと歩行距離概算の例を示す図である。
【発明を実施するための形態】
【００１７】
（第１実施形態）
以下、本発明の構成を図１に従って説明する。
【００１８】
本発明の回遊行動分析用データコーディング装置は、経路リンクデータベース110と、来訪者立寄り施設データベース130と、隣接関係データベース120と、来訪者回遊行動データベース210及び来訪者歩行距離データベース220という5つのデータベース（記憶手段）と、コーディング処理部（コーディング処理手段）140、入力部（入力手段）20並びに出力部（出力手段）10から構成される。
【００１９】
経路リンクデータベース110は来訪者の回遊行動の調査対象地区内のすべての経路リンクに関する位置情報を記録するためのものであり、リンク毎に付されている識別番号及びリンク間の経路の長さが補助記憶装置に記録されたデータベースである。
【００２０】
来訪者立寄り施設データベース130は来訪者が立寄った調査対象地区のすべての施設に関する情報を記録するためのものであり、来訪者が立ち寄った施設の順位、施設毎に付けられた識別番号、施設の属性、来訪者が立ち寄る予定の有無などが補助記憶装置に記録されたデータベースである。
【００２１】
隣接関係データベース120は二つの経路リンク間の隣接関係、並びに経路リンクと出入口ノード間の隣接関係が補助記憶装置に記録されたデータベースである。
【００２２】
来訪者回遊行動データベース210は各来訪者がどのような順で各リンク及び各施設を回遊するかという回遊行動をリスト表現により補助記憶装置に記録するデータベースである。
【００２３】
来訪者歩行距離データベース220は各来訪者の歩行距離の概算を補助記憶装置に記録するデータベースである。
【００２４】
入力部20は各来訪者の回遊行動を入力するための装置であり、表示装置の画面上のボタンの上にマウスポインタを置き、ボタンを押すことで、回遊行動図に示された来訪者の回遊行動（経路歩行、施設立寄り）を順に入力するためのものである。
【００２５】
出力部10は各来訪者の回遊行動を表示するためのものであり、表示装置の画面上の回遊行動図に経路リンク、出入口ノード及び回遊行動図外に施設立寄りの３種類のボタンが表示される。隣接関係から判断して誤入力と判定される場合には、表示装置の画面上に「入力無効」と表示される。
【００２６】
コーディング処理部140は、前記５つのデータベースの情報を参照しつつ、入力部２０から入力されたデータに基づき、各来訪者の回遊行動を判定するためのものであり、入力部20で押されたボタンについて、以下の４つのケースに該当する場合には、該当するコードが来訪者回遊行動データベース210へ出力される。以下の１）〜４）のケース以外の場合には、入力結果は無効と判定され、出力部10に「入力無効」と表示される。
【００２７】
ケースＡ：押されたボタンが経路リンクの場合で且つ１つ前に押されたボタンが経路リンク又は出入口ノードの場合には、２つの経路リンクは隣接関係にある；
ケースＢ：押されたボタン（分かり易くするために、以下では「X」という）が経路リンクの場合で且つ１つ前に押されたボタンが施設立寄りの場合には、当該１つ前に押されたX自体又は隣接関係にある経路リンクである；
ケースＣ：押されたボタンが施設立寄りである場合には、１つ前に押されたボタンは施設立寄り又は出入口ノードでない；
ケースＤ：押されたボタンが出入口ノードである場合には、１つ前に押されたボタンがない又は隣接関係にある経路リンクである。
【００２８】
コーディング処理部140の判定が有効であった場合で、押されたボタンが経路リンク又は出入口ノードであった場合には、その識別番号を来訪者回遊行動データベース210に記録する。コーディング処理部140の判定が有効であった場合で、押されたボタンが施設立寄りであった場合には、立寄りの順位に1000を加えた値を来訪者回遊行動データベース210に記録する。
【００２９】
尚、このコードシステムは回遊行動分析に必須であり、また拡張性を有している。
【００３０】
次に来訪者歩行距離データベースについて更に説明する。来訪者回遊行動データベース210へのデータ記録作業ごとに、各来訪者の歩行距離を以下のとおり加算する。
【００３１】
・押されたボタンが経路リンクであるならば、その経路の長さを加算する。
【００３２】
・ただし、押されたボタンが経路リンクであっても、１つ前に押されたボタンが施設立寄りで、且つ更に１つ前に押されたボタンが同じ経路リンクである場合には、その歩行距離は加算しない。これにより、歩行距離の概算が可能になる。
【００３３】
次に、図２に示すノード・リンク間の関係で表される地区を例として、コーディングのプロセスを説明する。尚、説明に際し、当該地区の経路リンクデータベースとしては図３の例を、当該地区の隣接関係データベースとしては図４の例を、当該地区に於いてある来訪者が順に立寄った施設とその内容が記された経路データベースとしては図５の例を用いる。
【００３４】
１）       先ず初めに来訪者が出入口ノード＃991から当該地区に入ったとする。データの入力者は、表示装置の画面上に表示された回遊行動図を見ながら該当するボタン（＃991）を押して入力する。このとき、コーディング処理部140は、ボタン入力の結果が前記ケースＤであること、即ち「押されたボタンが出入口ノードである場合には、１つ前に押されたボタンがない又は隣接関係にある経路リンクである」に該当することを判定・確認したのち、991のコードを来訪者回遊行動データベース210に記録する。
【００３５】
２）       次にこの来訪者は経路リンク＃１に進入したとする。データの入力者は、画面上の該当ボタン（＃１）を押して入力する。このとき、コーディング処理部140は、ボタン入力が前記ケースＡに該当すること、即ち「押されたボタンが経路リンクの場合で、且つ１つ前に押されたボタンが経路リンク又は出入口ノードの場合には、２つの経路リンクは隣接関係にある」に該当することを判定・確認したのち、経路リンク＃１のコード、1を来訪者の回遊行動データベースに記録する。
【００３６】
３）       次にこの来訪者は経路リンク＃３に進入したとする。データの入力者は、画面上の該当ボタン（＃３）を押す。このとき、コーディング処理部140は、ボタン入力が前記ケースＡに該当すること、即ち「押されたボタンが経路リンクの場合で、且つ１つ前に押されたボタンが経路リンク又は出入口ノードの場合には、２つの経路リンクは隣接関係にある」に該当することを判定・確認したのち、経路リンク＃３のコード、3を来訪者の回遊行動データベースに記録する。
【００３７】
４）       次にこの来訪者は経路リンク＃4に進入したとする。データの入力者は、画面上の該当ボタン（＃４）を押す。このとき、コーディング処理部140は、ボタン入力が前記ケースＡに該当すること、即ち「押されたボタンが経路リンクの場合で、且つ１つ前に押されたボタンが経路リンク又は出入口ノードの場合には、２つの経路リンクは隣接関係にある」に該当することを判定・確認したのち、経路リンク＃4のコード、4を来訪者の回遊行動データベースに記録する。
【００３８】
５）       次にこの来訪者は、図６に示すように、経路リンク＃４にのみ接道する施設、図５中の#3052に第１順位で立寄ったとする。データ入力者は、画面上に表示された施設立寄りボタンを押す。このとき、コーディング処理部140は、ボタン入力が前記ケースＣに該当すること、即ち「押されたボタンが施設立寄りである場合には、１つ前に押されたボタンが施設立寄り又は出入口ノードでない」に該当することを判定・確認した後、1000に第1順位を示す１を加えた値である1001のコードを来訪者の回遊行動データベースに記録する。
【００３９】
６）     次にこの来訪者は立寄り施設を出て経路リンク＃４に戻ったとする。データの入力者は、画面上の該当ボタン（＃４）を押す。このとき、コーディング処理部140は、ボタン入力が前記ケースＢに該当すること、即ち「押されたボタンが経路リンクの場合で、且つ１つ前に押されたボタンが施設立寄りの場合には、当該１つ前に押されたボタンが示す経路リンク又は隣接関係にある経路リンクである」に該当することを判定・確認したのち、経路リンク＃4のコード、4を来訪者の回遊行動データベースを記録する。
【００４０】
７）       次にこの来訪者は、図７に示すように、経路リンク＃４と＃５に接道する施設、図５中の#3065に第２順位で立寄ったとする。データの入力者は、画面上に表示された施設立寄りボタンを押す。このとき、コーディング処理部140は、ボタン入力が前記ケースＣに該当すること、即ち「押されたボタンが施設立寄りである場合には、１つ前に押されたボタンが施設立寄り又は出入口ノードでない」に該当することを判定・確認したのち、1000に第2順位を示す２を加えた値である1002のコードを来訪者の回遊行動データベースに記録する。
【００４１】
８）       次にこの来訪者は立寄った施設の別の出入り口から経路リンク＃５に進入したとする。データの入力者は、画面上の該当ボタン（＃５）を押す。このとき、コーディング処理部140は、ボタン入力が前記ケースＢに該当すること、即ち「押されたボタンが経路リンクの場合で、且つ１つ前に押されたボタンが施設立寄りの場合には、当該１つ前に押されたボタンが示す経路リンク又は隣接関係にある経路リンクである」に該当することを判定・確認したのち、経路リンク＃５のコード、5を来訪者の回遊行動データベースを記録する。
【００４２】
９）       次にこの来訪者は経路リンク＃５にのみ接道する施設、図５中の#3018に第３順位で立寄ったとする。データの入力者は、画面上に表示された施設立寄りボタンを押す。このとき、コーディング処理部140は、ボタン入力が前記ケースＣに該当すること、即ち「押されたボタンが施設立寄りである場合には、１つ前に押されたボタンが施設立寄り又は出入口ノードでない」に該当することを判定・確認したのち、1000に第３順位を示す３を加えた値である1003のコードを来訪者の回遊行動データベースに記録する。
【００４３】
１０）     次にこの来訪者は、図８に示すように、立寄り施設を出て経路リンク＃５に戻ったとする。データの入力者は、画面上の該当ボタン（＃５）を押す。このとき、コーディング処理部140は、ボタン入力が前記ケースＢに該当すること、即ち「押されたボタンが経路リンクの場合で、且つ１つ前に押されたボタンが施設立寄りの場合には、当該１つ前に押されたボタンが示す経路リンク又は隣接関係にある経路リンクである」に該当することを判定・確認したのち、経路リンク＃５のコード、5を来訪者の回遊行動データベースに記録する。
【００４４】
１１）     次にこの来訪者は来た経路を戻り、交差点から経路リンク＃６に進入したとする。データの入力者は、画面上の該当ボタン（＃６）を押す。このとき、コーディング処理部140は、ボタン入力が前記ケースＡに該当すること、即ち「押されたボタンが経路リンクの場合で、且つ１つ前に押されたボタンが経路リンク又は出入口ノードの場合には、２つの経路リンクは隣接関係にある」ことを判定・確認したのち、経路リンク＃６のコード、6を来訪者の回遊行動データベースに記録する。
【００４５】
１２）次にこの来訪者は、出入口ノード＃992から当該地区を出たとする。データの入力者は、表示装置の画面上に表示された回遊行動図を見ながら該当するボタン（＃992）を押す。このとき、コーディング処理部140は、ボタン入力が前記ケースＤに該当すること、即ち「押されたボタンが出入口ノードである場合には、１つ前に押されたボタンがない又は隣接関係にある経路リンクである」に該当することを判定・確認したのち、992のコードを来訪者回遊行動データベースに記録する。
【００４６】
この後来訪者が再び当該地区に入ることがなければ、来訪者の前記１）〜１２）の回遊行動は、来訪者回遊行動データベースに[991, 1, 3, 4, 1001, 4, 1002, 5, 1003, 5, 6, 992]のリスト表現により記録される。
【００４７】
次に前記の例を用いて誤入力判定のプロセスを説明する。
【００４８】
・1）の後、2）を飛ばして、3）を入力すると、コーディング処理部140は前記ケースＡに照会して、当該３）の入力を誤入力と判定し、その旨を出力部10に表示する。
【００４９】
・５）の後、経路リンク＃２の該当ボタンを押して入力すると、コーディング処理部140は前記ケースＢと照会して、当該ボタン入力を誤入力と判定し、その旨を出力部10に表示する。
【００５０】
・５）の後、６）を飛ばして、７）を入力すると、コーディング処理部140は前記ケースＣに照会して、当該７）の入力を誤入力と判定し、その旨を出力部10に表示する。
【００５１】
・１０）の後、１１）を飛ばして、１２）を入力すると、コーディング処理部140は前記ケースＤと照会して、当該７）の入力を誤入力と判定し、その旨を出力部10に表示する。
【００５２】
次に前記の例を用いて歩行距離概算のプロセスを説明する。尚、当該概算に際し、以下の３つのルールが適用される。
【００５３】
ルールＡ：経路リンクを、一つの端から入りから別の端に出る場合には、接道する施設であれば何回施設に立寄っても、その間の歩行距離は経路リンクの長さと同じと見なされる。
【００５４】
ルールＢ：ある経路リンクの端から入り、一つ又は複数の施設に立寄った後、入った経路リンクの端から出る場合には、その間の歩行距離は経路リンクの長さと同じと見なされる。即ち、経路リンクに立寄り施設が一様分布すると仮定し、その中の一つの施設にのみ立寄ると仮定したとき、その期待値と一致する。
【００５５】
ルールＣ：二つの経路リンクに接道する施設に立寄った場合には、その間の歩行距離は、その二つの経路リンクの交差点ノードを経由した際の長さと同じと見なされる。
【００５６】
・１）では加算を行わない。来訪者が初めて当該地区に入ったのであれば、この時点の歩行距離を0として、この値を来訪者歩行距離データベースに記録する。
【００５７】
・２）では経路リンク＃1の経路の長さ51を加算して、この時点の歩行距離を51として、この値を来訪者歩行距離データベースに記録する。
【００５８】
・３）では経路リンク＃3の経路の長さ45を加算して、この時点の歩行距離を96として、この値を来訪者歩行距離データベースに記録する。
【００５９】
・４）では経路リンク＃4の経路の長さ55を加算して、この時点の歩行距離を151として、この値を来訪者歩行距離データベースに記録する。
【００６０】
・５）では加算を行わない。何故ならば５）は来訪者の回遊行動が施設立寄りであるためである。
【００６１】
・６）では加算を行わない。何故ならば６）には前記ケースＢが適用されるからである。
【００６２】
・７）では加算を行わない。何故ならば７）は来訪者の回遊行動が施設立寄りであるためである。
【００６３】
・８）では経路リンク＃5の経路の長さ50を加算して、この時点の歩行距離を201として、この値を来訪者歩行距離データベースに記録する。
【００６４】
・９）では加算を行わない。何故ならば９）は来訪者の回遊行動が施設立寄りであるためである。
【００６５】
・１０）では加算を行わない。何故ならば１０）には前記ケースＢが適用されるからである。
【００６６】
・１１）では経路リンク＃6の経路の長さ53を加算して、この時点の歩行距離を254として、この値を来訪者歩行距離データベースに記録する。
【００６７】
・１２）では加算を行わない。何故ならば１２）は出入口ノードであるからである。
【００６８】
この後、来訪者が再び当該地区に入ることがなければ、254の値が来訪者の概算歩行距離として、来訪者歩行距離データベースに記録される。
【００６９】
上記した第１実施形態では、表示装置の画面に表示される回遊行動図上に出入口ノードのボタン、経路リンクのボタン及び立寄り施設のボタンを設け、コーディングにおいては、マウス等の入力装置を用いてこれら３種類のボタンを来訪者の回遊行動の順に押すことによって、データを入力し、これら３種類のボタンの内、来訪者の回遊行動の順とは直接関係にないボタンが誤って押される誤入力の場合には、エラーメッセージが表示され、データが入力されないようになっている。
【００７０】
更に、第１実施形態では、回遊行動の途中における施設立寄りの扱いを含むコードシステムを用いることにより、回遊行動分析に必須なデータを簡潔に記録でき、コーディングと同時に歩行距離を概算できるようになっている。
【００７１】
第１実施形態によれば、データ入力に際し、来訪者の回遊行動の順とは直接関係にないボタンを誤って押すような誤入力の場合には、データが入力されず、コーディングエラーを無くすことが可能となり、また所要のコードシステムを用いることにより、回遊行動分析に必須な情報を簡潔に記録可能となり、コーディングと同時に歩行距離を概算することができる。
（第２実施形態）
第１実施形態では入出力部としてパーソナル・コンピュータを想定しているが、次の機能を備えたGPS（Global Positioning System）付きスマートフォンやタブレット端に置き換えても構わない。
【００７２】
・端末画面に表示された出入口ノード・ボタンをタッチした際、緯度・経度データから出入口ノードの識別番号コードを同定する機能、
・歩行軌跡データを経路リンク・コードに変換する機能、及び
・端末画面に表示された施設立寄りボタンをタッチした際、施設立寄りコードを入力する機能。
【００７３】
以上述べたように、上記した第１実施形態及び第２実施形態によれば、回遊行動分析用のデータを収集するための装置であって、少なくとも出入口ノード、経路リンク、立寄り施設の各コード及び誤入力判定ルールと歩行距離概算ルールを構成要素として含む回遊行動分析用のコードシステムを用い、出入口ノード、経路リンク及び立寄り施設を入力項目として備える入力装置と、前記コードシステムを記録するための記憶装置と、入力された回遊行動情報をコーディングする処理装置と、入力された回遊行動情報の正否の判定結果を表示する出力装置を有する回遊行動分析用データコーディング装置が提供される。また、前記コーディング処理装置が、回遊行動情報から回遊行動距離を算出する回遊行動分析用データコーディング装置が提供される。
【産業上の利用の可能性】
【００７４】
本発明の方法は、都市計画技術分野における商業施設計画、中心市街地活性化、地区再開発事業にかかわる商業地回遊行動分析用に使用することができる。
【符号の説明】
【００７５】
10       出力部
20       入力部
110      経路リンクデータベース
120      隣接関係データベース
130      来訪者立寄り施設データベース
140      コーディング処理部
210      来訪者回遊行動データベース
220      来訪者歩行距離データベース
【図１】
2013206219.tif 000003
【図２】
2013206219.tif 000004
【図３】
2013206219.tif 000005
【図４】
2013206219.tif 000006
【図５】
2013206219.tif 000007
【図６】
2013206219.tif 000008
【図７】
2013206219.tif 000009
【図８】
2013206219.tif 000010